(57)【要約】【課題】建物の密閉度を測定し、密閉度と屋内外の温度差とから換気装置の理想給気流量を算出することで、十分な換気を行いつつ、省エネルギーを実現した換気装置を提供する。【解決手段】制御部４は、建物の密閉度を算出し、室内温度が外気温度よりも高い場合に、室内温度と外気温度と密閉度とに基づいて理想給気流量を算出し、理想給気流量に合わせて給気用モータまたは排気用モータの回転数を増減させることで、十分な換気を行いつつ、省エネルギーを実現する。【選択図】図１
2016156535.tif 000002
【特許請求の範囲】
【請求項１】
給気用モータを備えた給気送風機と、
排気用モータを備えた排気送風機と、
前記給気送風機により屋外から室内に送風される給気送風経路と、
前記排気送風機により室内から屋外に送風される排気送風経路と、
前記給気送風経路を流れる給気流量を検出する給気流量センサーと、
外気温度を検出する外気温度センサーと、
室内温度を検出する室内温度センサーと、
外気圧を検出する外気圧センサーと、
室内気圧を検出する内気圧センサーとを備え、
制御部により前記給気用モータと前記排気用モータの運転および回転数を制御する換気装置であって、
建物の内部から外部への排気口を閉じた状態且つ前記給気送風機が動作している状態において、前記制御部は、前記外気圧センサーによって検出された外気圧と前記内気圧センサーによって検出された室内気圧と前記給気流量センサーによって検出された給気流量とに基づいて建物の密閉度を算出し、
前記密閉度を算出した後、前記給気送風機および前記排気送風機が動作している状態において、前記室内温度センサーによって検出された室内温度が前記外気温度センサーによって検出された外気温度よりも高い場合に、前記制御部は、前記室内温度と前記外気温度と前記密閉度とに基づいて理想給気流量を算出し、
前記制御部は、前記給気流量センサーによって検出された現在の給気流量が前記理想給気流量よりも大きい場合は前記給気用モータまたは前記排気用モータの回転数を減少させ、前記給気流量センサーによって検出された現在の給気流量が前記理想給気流量よりも小さい場合は前記給気用モータまたは前記排気用モータの回転数を増加させることを特徴とする換気装置。
【請求項２】
前記制御部は、前記外気圧センサーによって検出された外気圧と前記内気圧センサーによって検出された室内気圧とに基づいて建物の外部と内部との気圧差を複数回算出し、複数回算出された前記気圧差と前記給気流量センサーによって複数回検出された給気流量とに基づいて前記密閉度を算出することを特徴とする請求項１に記載の換気装置。
【請求項３】
前記制御部は、前記理想給気流量の値を増加させ、建物内部の気圧を建物外部の気圧よりも高く制御することを特徴とする請求項１または２に記載の換気装置。
【請求項４】
給気用モータを備えた給気送風機と、
排気用モータを備えた排気送風機と、
前記給気送風機により屋外から室内に送風される給気送風経路と、
前記排気送風機により室内から屋外に送風される排気送風経路と、
前記給気送風経路を流れる給気流量を検出する給気流量センサーと、
前記排気送風経路を流れる排気流量を検出する排気流量センサーと、
外気温度を検出する外気温度センサーと、
室内温度を検出する室内温度センサーと、
外気圧を検出する外気圧センサーと、
室内気圧を検出する内気圧センサーとを備え、
制御部により前記給気用モータと前記排気用モータの運転および回転数を制御する換気装置であって、
建物の外部から内部への給気口を閉じた状態且つ前記排気送風機が動作している状態において、前記制御部は、前記外気圧センサーによって検出された外気圧と前記内気圧センサーによって検出された室内気圧と前記排気流量センサーによって検出された排気流量とに基づいて建物の密閉度を算出し、
前記密閉度を算出した後、前記給気送風機および前記排気送風機が動作している状態において、前記室内温度センサーによって検出された室内温度が前記外気温度センサーによって検出された外気温度よりも高い場合に、前記制御部は、前記室内温度と前記外気温度と前記密閉度とに基づいて理想給気流量を算出し、
前記制御部は、前記給気流量センサーによって検出された現在の給気流量が前記理想給気流量よりも大きい場合は前記給気用モータまたは前記排気用モータの回転数を減少させ、前記給気流量センサーによって検出された現在の給気流量が前記理想給気流量よりも小さい場合は前記給気用モータまたは前記排気用モータの回転数を増加させることを特徴とする換気装置。
【請求項５】
前記制御部は、前記外気圧センサーによって検出された外気圧と前記内気圧センサーによって検出された室内気圧とに基づいて建物の外部と内部との気圧差を複数回算出し、複数回算出された前記気圧差と前記排気流量センサーによって複数回検出された排気流量とに基づいて前記密閉度を算出することを特徴とする請求項４に記載の換気装置。
【請求項６】
前記制御部は、前記理想給気流量の値を増加させ、建物内部の気圧を建物外部の気圧よりも高く制御することを特徴とする請求項４または５に記載の換気装置。
【発明の詳細な説明】
【技術分野】
【０００１】
本発明は、建物の密閉度（気密性能）を測定できる換気装置に関するものである。
【背景技術】
【０００２】
従来、この種の換気装置は、屋内外の温度差と建物の密閉度から見込める自然換気流量を考慮し、建物の換気流量を制御するものが知られており、また、建物の密閉度をユーザが入力して設定し、建物の違いによらず精度の良い換気流量の制御が行える換気装置が知られている（例えば、特許文献１参照）。
【先行技術文献】
【特許文献】
【０００３】
【特許文献１】特開２０１１−７３５４号公報
【発明の概要】
【発明が解決しようとする課題】
【０００４】
このような従来の換気装置においては、建物毎の密閉度をユーザが入力して設定するため、密閉度を事前に測定しておくことが必要である。このため、密閉度を測定するにはそれ専用の大掛かりな機材が必要であるといった課題を有していた。
【０００５】
そこで本発明は、上記従来の課題を解決するものであり、建物の密閉度を測定する手段を備えた換気装置とすることで、従来よりも簡易に建物の密閉度を測定し、十分な換気を行いつつ、省エネルギーを実現した換気装置を得ることが可能となる。
【課題を解決するための手段】
【０００６】
そして、この目的を達成するために、本発明の一態様に係る換気装置は、制御部によって建物の密閉度を算出し、密閉度を算出した後、給気送風機および排気送風機が動作している状態において、室内温度センサーによって検出された室内温度が外気温度センサーによって検出された外気温度よりも高い場合に、制御部は、室内温度と外気温度と密閉度とに基づいて理想給気流量を算出し、制御部は、給気流量センサーによって検出された現在の給気流量が理想給気流量よりも大きい場合は給気用モータまたは排気用モータの回転数を減少させ、給気流量センサーによって検出された現在の給気流量が理想給気流量よりも小さい場合は給気用モータまたは排気用モータの回転数を増加させることを特徴としたものであり、これにより所期の目的を達成するものである。
【発明の効果】
【０００７】
本発明によれば、建物の密閉度を測定し、密閉度と屋内外の温度差とから換気装置の理想給気流量を算出することで、十分な換気を行いつつ、省エネルギーを実現した換気装置を得ることができる。
【図面の簡単な説明】
【０００８】
【図１】本発明の実施の形態１の換気装置を示す概略図
【図２】同換気装置を備えた建物の密閉度を算出・記憶する流れを示すフローチャート図
【図３】同換気装置の換気流量を制御する流れを示すフローチャート図
【発明を実施するための形態】
【０００９】
本発明の一態様に係る換気装置は、給気用モータを備えた給気送風機と、排気用モータを備えた排気送風機と、前記給気送風機により屋外から室内に送風される給気送風経路と、前記排気送風機により室内から屋外に送風される排気送風経路と、前記給気送風経路を流れる給気流量を検出する給気流量センサーと、外気温度を検出する外気温度センサーと、室内温度を検出する室内温度センサーと、外気圧を検出する外気圧センサーと、室内気圧を検出する内気圧センサーとを備え、制御部により前記給気用モータと前記排気用モータの運転および回転数を制御する換気装置であって、建物の内部から外部への排気口を閉じた状態且つ前記給気送風機が動作している状態において、前記制御部は、前記外気圧センサーによって検出された外気圧と前記内気圧センサーによって検出された室内気圧と前記給気流量センサーによって検出された給気流量とに基づいて建物の密閉度を算出し、前記密閉度を算出した後、前記給気送風機および前記排気送風機が動作している状態において、前記室内温度センサーによって検出された室内温度が前記外気温度センサーによって検出された外気温度よりも高い場合に、前記制御部は、前記室内温度と前記外気温度と前記密閉度とに基づいて理想給気流量を算出し、前記制御部は、前記給気流量センサーによって検出された現在の給気流量が前記理想給気流量よりも大きい場合は前記給気用モータまたは前記排気用モータの回転数を減少させ、前記給気流量センサーによって検出された現在の給気流量が前記理想給気流量よりも小さい場合は前記給気用モータまたは前記排気用モータの回転数を増加させるという構成を有する。
【００１０】
この構成によれば、建物の密閉度を測定し、密閉度と屋内外の温度差とから換気装置の理想給気流量を算出し、理想給気流量に合わせて給気用モータまたは排気用モータの回転数を増減させることができる。このため、十分な換気を行いつつ、必要以上の換気を抑え、省エネルギーを実現した換気装置を提供できる。
【００１１】
また、前記制御部は、前記外気圧センサーによって検出された外気圧と前記内気圧センサーによって検出された室内気圧とに基づいて建物の外部と内部との気圧差を複数回算出し、複数回算出された前記気圧差と前記給気流量センサーによって複数回検出された給気流量とに基づいて前記密閉度を算出するという構成にしてもよい。
【００１２】
この構成によれば、精度の高い密閉度測定ができるので、十分な換気を行いつつ、さらに省エネルギーを実現した換気装置を提供できる。
【００１３】
また、前記制御部は、前記理想給気流量の値を増加させ、建物内部の気圧を建物外部の気圧よりも高く制御するという構成にしてもよい。
【００１４】
この構成によれば、建物内部の気圧を建物外部の気圧よりも高く制御することができるので、換気装置以外の経路を通って建物外部から建物内部へ空気が流入することを防止できる。特に、外気が汚れている場合などは、室内空間の空気が汚れることを防止できる。
【００１５】
また、本発明の一態様に係る換気装置は、給気用モータを備えた給気送風機と、排気用モータを備えた排気送風機と、前記給気送風機により屋外から室内に送風される給気送風経路と、前記排気送風機により室内から屋外に送風される排気送風経路と、前記給気送風経路を流れる給気流量を検出する給気流量センサーと、前記排気送風経路を流れる排気流量を検出する排気流量センサーと、外気温度を検出する外気温度センサーと、室内温度を検出する室内温度センサーと、外気圧を検出する外気圧センサーと、室内気圧を検出する内気圧センサーとを備え、制御部により前記給気用モータと前記排気用モータの運転および回転数を制御する換気装置であって、建物の外部から内部への給気口を閉じた状態且つ前記排気送風機が動作している状態において、前記制御部は、前記外気圧センサーによって検出された外気圧と前記内気圧センサーによって検出された室内気圧と前記排気流量センサーによって検出された排気流量とに基づいて建物の密閉度を算出し、前記密閉度を算出した後、前記給気送風機および前記排気送風機が動作している状態において、前記室内温度センサーによって検出された室内温度が前記外気温度センサーによって検出された外気温度よりも高い場合に、前記制御部は、前記室内温度と前記外気温度と前記密閉度とに基づいて理想給気流量を算出し、前記制御部は、前記給気流量センサーによって検出された現在の給気流量が前記理想給気流量よりも大きい場合は前記給気用モータまたは前記排気用モータの回転数を減少させ、前記給気流量センサーによって検出された現在の給気流量が前記理想給気流量よりも小さい場合は前記給気用モータまたは前記排気用モータの回転数を増加させるという構成にしてもよい。
【００１６】
この構成によれば、建物の密閉度を測定し、密閉度と屋内外の温度差とから換気装置の理想給気流量を算出し、理想給気流量に合わせて給気用モータまたは排気用モータの回転数を増減させることができる。このため、十分な換気を行いつつ、必要以上の換気を抑え、省エネルギーを実現した換気装置を提供できる。
【００１７】
以下、本発明の実施の形態について図面を参照しながら説明する。
【００１８】
（実施の形態１）
図１に示すように、換気装置２１は、屋外の空気を室内に給気する給気用モータを備えた給気送風機１と、室内の空気を屋外に排気する排気用モータを備えた排気送風機２を本体内部に備えている。
【００１９】
給気送風機１により、屋外空気が外気吸込口２２から本体内部に入り、外気給気口２４を通って室内へ給気されるといった、給気送風経路２７が本体内部に形成される。また、排気送風機２により、室内空気が室内空気吸込口２５から本体内部に入り、室内空気排気口２３を通って屋外へ排気されるといった、排気送風経路２８が本体内部に形成される。
【００２０】
換気装置２１は、給気送風経路２７を流れる給気流量を、例えば風速を読み取る等して検出する給気流量センサー１１を備えている。また、換気装置２１は、排気送風経路２８を流れる排気流量を、例えば風速を読み取る等して検出する排気流量センサー１０を備えている。ただし、排気流量センサー１０は必ずしも備えている必要はない。
【００２１】
図１では、外気温度を検出する外気温度センサー７と、外気圧を検出する外気圧センサー９が、本体内部の給気送風経路２７に備えられている。なお、外気温度センサー７と外気圧センサー９は、本体外部の例えば屋外の任意の場所に備えても良い。また、室内温度を検出する室内温度センサー６と、室内気圧を検出する内気圧センサー８は、本体内部の排気送風経路２８に備えられている。なお、室内温度センサー６と内気圧センサー８は、本体外部の例えば室内の任意の場所に備えても良い。
【００２２】
換気装置２１はリモコン３と接続される。リモコン３により各送風機モータの運転切替や各種設定を行う。
【００２３】
また、換気装置２１は制御部４と接続される。制御部４は各センサーで検出した値を用いて計算を行い、情報をメモリ５に記憶する。さらに、制御部４は、給気用モータと排気用モータの回転数の加減の調節を可能とする。なお、制御部４は換気装置２１の本体に設けたが、換気装置２１の本体から離れた場所に制御部４を設けてもよく、遠隔地にある制御部４によって換気装置を制御してもよい。図１では、１例として換気装置２１は制御部４を介してリモコン３と接続される。
【００２４】
図２は、換気装置２１を備えた建物の密閉度を制御部４により算出し、算出された密閉度をメモリ５に記憶する流れを示したフローチャートである。
【００２５】
建物の密閉度とは、建物の内外を隔てる外周部分（建物外皮）の密閉性の程度を意味している。図２に示す密閉度の算出の際は、給気送風経路２７または排気送風経路２８を除いて、建物外皮のドアや窓、その他建物外皮に接する開閉物は普通に閉めた状態とする。なお、建物全体が単一空間として屋内気圧が応答するよう、建物内部において各室のドアは開放することが望ましい。その他換気扇やレンジフードなど、換気装置２１以外の給排換気装置は停止し、空気漏れのないよう目張りを施しても良い。
【００２６】
これから、図２を用いて、換気装置２１を備えた建物の密閉度を制御部４により算出する流れを説明する。
【００２７】
まず、リモコン３を用いて密閉度算出モード運転ボタンを押すことにより、給気送風機１か排気送風機２のどちらか片方のみを運転させる。
【００２８】
ここで、給気送風機１を運転させるときは、給気送風経路２７を除いて、排気送風経路２８を含めた建物外皮に接する開閉物（建物の内部から外部への排気口）は普通に閉めた状態とする。この場合、空気漏れのないよう、排気送風経路２８に目張りを施しても良い。また、排気送風機２を運転させるときは、排気送風経路２８を除いて、給気送風経路２７を含めた建物外皮に接する開閉物（建物の外部から内部への給気口）は普通に閉めた状態とする。この場合、空気漏れのないよう、給気送風経路２７に目張りを施しても良い。
【００２９】
（給気送風機のみを運転させた場合）
以下、給気送風機１のみを運転させた場合について説明する。
【００３０】
給気送風経路２７を除いて、排気送風経路２８を含めた建物外皮に接する開閉物（建物の内部から外部への排気口）は普通に閉めた状態とする。この場合、空気漏れのないよう、排気送風経路２８に目張りを施しても良い。
【００３１】
この状態で、給気送風機１のみを運転させながら、外気圧センサー９および内気圧センサー８により、それぞれ外気圧と室内気圧を検出する。
【００３２】
制御部４は、検出された外気圧と室内気圧とに基づいて、屋内外の気圧差を算出する。
【００３３】
まず、制御部４は、給気送風機１の給気用モータの回転数を調整し、屋内外の気圧差が９．８［Ｐａ］になるように制御する。そして、気圧差が９．８［Ｐａ］のときの給気流量Ｑ9.8を給気流量センサー１１により検出する。
【００３４】
なお、給気流量Ｑ9.8を求める上記手段は一例であって、１点よりも複数点測定したほうが精度上望ましい。例えば、気圧差および給気流量をそれぞれ９．８［Ｐａ］およびＱ9.8の前後で５点以上測定し、近似線を引いて給気流量Ｑ9.8を求める方法もある。また、各送風機が運転していない初期状態における気圧差を、初期気圧差としてあらかじめ測定しておいても良い。その場合、給気送風機１を運転させて気圧差と給気流量を測定する際、測定した気圧差から初期気圧差を差し引く。これにより、さらに精度の高い測定が可能となる。
【００３５】
次に、総相当隙間面積αＡを次式（数式１）で算出する。総相当隙間面積αＡとは、建物内外の気圧差９．８［Ｐａ］のとき建物外皮を流れる流量（Ｑ9.8）により、隙間と等価の単純開口の有効面積を算出したものである。また、（数式１）における室内温度Ｔiは、給気流量Ｑ9.8を測定したときに、室内温度センサー６によってあらかじめ検出された室内温度である。
【００３６】
（数式１）に示すように、総相当隙間面積αＡは、給気流量Ｑ9.8および室内温度Ｔiによって算出される。
【００３７】
【数１】
2016156535.tif 000003
【００３８】
次に、リモコン３に延床面積値Ｓを入力する。延床面積とは、建物外皮内の換気に関わる部分の床面積である。
【００３９】
次に、建物の密閉度Ｃを次式（数式２）で算出する。
【００４０】
（数式２）に示すように、密閉度Ｃは、総相当隙間面積αＡおよび延床面積値Ｓによって算出される。
【００４１】
【数２】
2016156535.tif 000004
【００４２】
このように、制御部４は、外気圧センサー９によって検出された外気圧と内気圧センサー８によって検出された室内気圧と給気流量センサー１１によって検出された給気流量とに基づいて建物の密閉度Ｃを算出するのである。
【００４３】
その後、制御部４は密閉度Ｃをメモリ５に記憶する。
【００４４】
以上、給気送風機１のみを運転させた場合について、密閉度Ｃの算出方法を説明した。
【００４５】
（排気送風機のみを運転させた場合）
以下、排気送風機２のみを運転させた場合について、密閉度Ｃの算出方法を説明する。
【００４６】
排気送風経路２８を除いて、給気送風経路２７を含めた建物外皮に接する開閉物（建物の外部から内部への給気口）は普通に閉めた状態とする。この場合、空気漏れのないよう、給気送風経路２７に目張りを施しても良い。
【００４７】
この状態で、排気送風機２のみを運転させながら、外気圧センサー９および内気圧センサー８により、それぞれ外気圧と室内気圧を検出する。
【００４８】
制御部４は、検出された外気圧と室内気圧とに基づいて、屋内外の気圧差を算出する。
【００４９】
まず、制御部４は、排気送風機２の排気用モータの回転数を調整し、屋内外の気圧差が９．８［Ｐａ］になるように制御する。そして、気圧差が９．８［Ｐａ］のときの排気流量Ｑ’9.8を排気流量センサー１０により検出する。
【００５０】
なお、排気流量Ｑ’9.8を求める上記手段は一例であって、１点よりも複数点測定したほうが精度上望ましい。例えば、気圧差および排気流量をそれぞれ９．８［Ｐａ］およびＱ’9.8の前後で５点以上測定し、近似線を引いて排気流量Ｑ’9.8を求める方法もある。また、各送風機が運転していない初期状態における気圧差を、初期気圧差としてあらかじめ測定しておいても良い。その場合、排気送風機２を運転させて気圧差と排気流量を測定する際、測定した気圧差から初期気圧差を差し引く。これにより、さらに精度の高い測定が可能となる。
【００５１】
次に、総相当隙間面積αＡを次式（数式３）で算出する。総相当隙間面積αＡとは、建物内外の気圧差９．８［Ｐａ］のとき建物外皮を流れる流量（Ｑ’9.8）により、隙間と等価の単純開口の有効面積を算出したものである。また、（数式３）における屋外温度Ｔoは、排気流量Ｑ’9.8を測定したときに、外気温度センサー７によってあらかじめ検出された屋外温度である。
【００５２】
（数式３）に示すように、総相当隙間面積αＡは、排気流量Ｑ’9.8および屋外温度Ｔoによって算出される。
【００５３】
【数３】
2016156535.tif 000005
【００５４】
次に、リモコン３に延床面積値Ｓを入力する。延床面積とは、建物外皮内の換気に関わる部分の床面積である。
【００５５】
次に、建物の密閉度Ｃを上記（数式２）で算出する。
【００５６】
（数式２）に示すように、密閉度Ｃは、総相当隙間面積αＡおよび延床面積値Ｓによって算出される。
【００５７】
このように、制御部４は、外気圧センサー９によって検出された外気圧と内気圧センサー８によって検出された室内気圧と排気流量センサー１０によって検出された排気流量とに基づいて建物の密閉度Ｃを算出するのである。
【００５８】
その後、制御部４は密閉度Ｃをメモリ５に記憶する。
【００５９】
以上、排気送風機２のみを運転させた場合について、密閉度Ｃの算出方法を説明した。
【００６０】
なお、本実施例では密閉度Ｃを算出する１例を挙げたが、気圧差および給気流量（または排気流量）が分かれば、他の方法でも建物の密閉度を算出することは可能である。
【００６１】
図３は、上記で算出した密閉度Ｃを用いて、制御部４が換気装置２１の換気流量を制御する流れを示したフローチャートである。
【００６２】
まず、リモコン３を用いて本体の換気流量制御運転ボタンを押すことにより、給気送風機１および排気送風機２を運転させる。
【００６３】
次に、外気温度センサー７によって外気温度Ｔoと、室内温度センサー６によって室内温度Ｔiを検出する。
【００６４】
次に、外気温度Ｔoおよび室内温度Ｔiに基づいて、制御部４が屋内外の温度差を算出する。
【００６５】
室内温度Ｔiが外気温度Ｔo以下の場合（Ｔi≦Ｔoの場合）は、一定時間経過後、再度屋内外の温度測定に戻る。
【００６６】
室内温度Ｔiが外気温度Ｔoより大きい場合（Ｔi＞Ｔoの場合）は、屋内外の温度差と前述の記憶した密閉度Ｃとに基づいて、制御部４は、建物の内部から総相当隙間面積αＡを通って外部へ漏れる空気量（自然換気量）を算出する。なお、室内温度Ｔｉが外気温度Ｔｏより大きい場合（Ｔi＞Ｔoの場合）は、換気装置２１の力を借りなくても、対流により建物の内部から総相当隙間面積αＡを通って外部へ空気が自然に流れることになる。この自然に流れる自然換気量は、屋内外の温度差が大きければ大きいほど多く、総相当隙間面積αＡが大きければ大きいほど多い。
【００６７】
制御部４は、算出した自然換気量に基づいて、理想給気流量Ｑmを算出する。ここで、理想給気流量Ｑmとは、換気装置２１が建物内部に供給するのに必要な給気流量を計算により算出したものである。このため、例えば、屋内から屋外への自然換気量が増加する環境であれば、換気装置２１の給気用モータまたは排気用モータの回転数をやや下げた状態でも、屋外から屋内へ十分な給気を換気装置２１により行うことができる場合がある。
【００６８】
次に、現在の換気装置２１の給気流量Ｑを給気流量センサー１１によって検出し、制御部４が理想給気流量Ｑmと現在の給気流量Ｑの差を計算する。
【００６９】
理想給気流量Ｑmが現在の給気流量Ｑよりも大きい場合（Ｑm＞Ｑの場合）、制御部４は必要以上の換気が行われていると判断して、給気送風機１又は排気送風機２の流量を低減させる（給気用モータまたは排気用モータの回転数を減少させる）。
【００７０】
理想給気流量Ｑmが現在の給気流量Ｑよりも小さい場合（Ｑm＜Ｑの場合）、制御部４は換気が足りていないと判断して、給気送風機１又は排気送風機２の流量を増加させる（給気用モータまたは排気用モータの回転数を増加させる）。
【００７１】
理想給気流量Ｑmが現在の給気流量Ｑが等しい場合（Ｑm＝Ｑの場合）は、一定時間経過後、再度屋内外の温度測定に戻る。
【００７２】
以上のように、本実施例の換気装置２１によれば、建物の密閉度Ｃを測定（算出）し、密閉度Ｃと屋内外の温度差とから換気装置の理想給気流量Ｑmを算出し、理想給気流量Ｑmに合わせて給気用モータまたは排気用モータの回転数を増減させることができる。このため、十分な換気を行いつつ、必要以上の換気を抑え、省エネルギーを実現した換気装置を提供できるのである。
【００７３】
なお、理想給気流量Ｑmを増加させ、建物内部の気圧を建物外部の気圧よりも高く制御することも可能である。
【００７４】
この構成によれば、建物内部の気圧を建物外部の気圧よりも高く制御することができるので、換気装置２１以外の経路を通って建物外部から建物内部へ空気が流入することを防止できる。特に、外気が汚れている場合などは、室内空間の空気が汚れることを防止できる。
【産業上の利用可能性】
【００７５】
本発明に係る換気装置は、十分な換気を行いつつ、省エネルギーを可能とするものであり、建物の密閉度を算出できる換気装置等として有用である。
【符号の説明】
【００７６】
１  給気送風機
２  排気送風機
３  リモコン
４  制御部
５  メモリ
６  室内温度センサー
７  外気温度センサー
８  内気圧センサー
９  外気圧センサー
１０  排気流量センサー
１１  給気流量センサー
２１  換気装置
２２  外気吸込口
２３  室内空気排気口
２４  外気給気口
２５  室内空気吸込口
２７  給気送風経路
２８  排気送風経路
【図１】
2016156535.tif 000006
【図２】
2016156535.tif 000007
【図３】
2016156535.tif 000008